(57)【特許請求の範囲】
【請求項１】
一の部材と他の部材とが折り畳み可能に接続され、前記一の部材は、所定の物理的状態を生じさせる物理的状態生成部を備え、前記他の部材は、物理的状態を示す物理量を前記一の部材との位置関係に応じた値として検出し、検出した物理量に応じた信号を発生させる開閉検出部を備えた折り畳み式携帯情報端末を検査する折り畳み式携帯情報端末検査装置であって、
開かれた状態の折り畳み式携帯情報端末を支持する端末支持手段と、
端末支持手段に支持された折り畳み式携帯情報端末の物理的状態生成部の近傍に配置され、物理的状態生成部が生じさせる物理的状態を示す物理量を検出する物理量検出手段と、
端末支持手段に支持された折り畳み式携帯情報端末の開閉検出部の近傍に配置され、物理的状態を生じさせる検査装置側物理的状態生成手段と、
物理量検出手段が検出した物理量が所定の値以上であるか否かによって物理的状態生成部の良否を判断し、開閉検出部が発生させた信号が、検査装置側物理的状態生成手段が生じさせた物理的状態を示す物理量に応じた信号であるか否かによって開閉検出部の良否を判断する判断手段とを備えた
ことを特徴とする折り畳み式携帯情報端末検査装置。
【請求項２】
一の部材と他の部材とが折り畳み可能に接続され、前記一の部材は、所定の磁界を生じさせる物理的状態生成部を備え、前記他の部材は、磁界の強さを前記一の部材との位置関係に応じた値として検出し、検出した磁界の強さに応じた信号を発生させる開閉検出部を備えた折り畳み式携帯情報端末を検査する折り畳み式携帯情報端末検査装置であって、
物理量検出手段は、折り畳み式携帯情報端末の物理的状態生成部が生じさせる磁界の強さを検出し、
検査装置側物理的状態生成手段は、磁界を生じさせ、
判断手段は、物理量検出手段が検出した磁界の強さが所定の値以上であるか否かによって物理的状態生成部の良否を判断し、開閉検出部が発生させた信号が、検査装置側物理的状態生成手段が生じさせた磁界の強さに応じた信号であるか否かによって開閉検出部の良否を判断する
請求項１に記載の折り畳み式携帯情報端末検査装置。
【請求項３】
情報を表示する表示部を備えた折り畳み式携帯情報端末を検査する折り畳み式携帯情報端末検査装置であって、
前記表示部に画像パターンを表示させる画像パターン表示手段と、
画像パターンを表示する表示部を撮影して画像データを作成する表示部撮影手段と、
表示部撮影手段から画像データを取得して、予め保持する画像パターンと比較することにより表示部の良否を判断する表示判断手段とを備えた
請求項１または請求項２に記載の折り畳み式携帯情報端末検査装置。
【請求項４】
点灯するキーを備えた折り畳み式携帯情報端末を検査する折り畳み式携帯情報端末検査装置であって、
前記キーを点灯させるキー点灯手段と、
点灯したキーを撮影して画像データを作成するキー撮影手段と、
キー撮影手段から画像データを取得して点灯したキーの輝度を算出し、算出した輝度が所定の値以上であるか否かによってキーの良否を判断するキー判断手段とを備えた
請求項１から請求項３のうちのいずれか１項に記載の折り畳み式携帯情報端末検査装置。
【請求項５】
少なくとも着信を通知するために点灯する点灯部を備えた折り畳み式携帯情報端末を検査する折り畳み式携帯情報端末検査装置であって、
点灯部を点灯させる点灯部点灯手段と、
点灯した点灯部を撮影して画像データを作成する点灯部撮影手段と、
点灯部撮影手段から画像データを取得して点灯部の輝度を算出し、算出した輝度が所定の値以上であるか否かによって点灯部の良否を判断する点灯判断手段とを備えた
請求項１から請求項４のうちのいずれか１項に記載の折り畳み式携帯情報端末検査装置。
【請求項６】
折り畳み式携帯情報端末に音を発生させる請求項１から請求項５のうちのいずれか１項に記載の折り畳み式携帯情報端末検査装置
【発明の詳細な説明】
【０００１】
【発明の属する技術分野】
本発明は、折り畳み式携帯情報端末を検査する折り畳み式携帯情報端末検査装置に関する。
【０００２】
【従来の技術】
携帯電話装置等の携帯情報端末には、本体を折り畳んでより小さな形態にすることができるものがある。図６は、このような折り畳み式携帯情報端末の例を示す説明図である。以下、携帯情報端末が携帯電話装置である場合を例に説明する。携帯電話装置１００は、ヒンジ１２０によって接続される第一の筐体１０１と第二の筐体１０２とを備える。第一の筐体１０１は、情報を表示する表示部１０３と、着信等を通知する点灯部１０４とを備える。点灯部１０４は、例えば、ＬＥＤ（発光ダイオード）によって点灯する。第二の筐体１０２は、電話番号、文字、各種指示等が入力される複数のキー１０５を備える。キー１０５の中の一部または全部のキーにはライトが設けられ、このライトによってキーが点灯する構成となっている。キーは、操作状況に応じて点灯する。また、このライトをバックライトという。
【０００３】
また、携帯電話装置１００は、折り畳まれたときに表示面が外側を向くように配置される表示部（図６において図示せず。）を備える場合もある。以下、携帯電話装置１００が折り畳まれたときに表示面が外側を向くように配置される表示部を背面側表示部と記す。また、携帯電話装置１００が折り畳まれたときに自身が配置された部材（筐体）とは異なる部材（筐体）に対向する表示部を表面側表示部と記す。
【０００４】
図６では、表面側表示部１０３と点灯部１０４が第一の筐体１０１に配置され、キー１０５が第二の筐体１０２に配置される場合を示したが、表面側表示部１０３、点灯部１０４、およびキー１０５は、それぞれ第一の筐体１０１と第二の筐体１０２のいずれに配置されてもよい。また、背面側表示部も、第一の筐体１０１と第二の筐体１０２のいずれに配置されてもよい。
【０００５】
また、第一の筐体１０１は磁石１０６を備え、第二の筐体は磁力センサ１０７を備える。磁力センサ１０７は、磁石１０６が近づいて規定値以上の強さの磁界を検出すると、携帯電話装置１００が折り畳まれていることを示す信号を発生させる。したがって、携帯電話装置１００が折り畳まれ、磁石１０６と磁力センサ１０７とが対向すると、磁力センサ１０７は、折り畳まれていることを示す信号を発生させる。また、磁力センサ１０７は、磁石１０６が遠ざかり検出される磁界の強さが規定値以下になると、携帯電話装置１００が開かれていることを示す信号を発生させる。なお、第一の筐体１０１が磁力センサ１０７を備え、第二の筐体１０２が磁石１０６を備えていてもよい。
【０００６】
携帯電話装置１００は、折り畳まれているときには、表面側表示部１０３の表示やバックライトの点灯を行わずに省電力化を図る。折り畳まれているのか開かれているのかを携帯電話装置１００が認識するためには、折り畳まれている状態と、開かれている状態において、それぞれの状態に応じた信号が発生させなけらばならない。
【０００７】
従来、携帯電話装置１００の検査工程では、作業者が一つ一つの携帯電話装置１００について開閉作業を行い、折り畳まれている状態と、開かれている状態において、それぞれの状態に応じた信号が発生しているか否かを検査していた。
【０００８】
【発明が解決しようとする課題】
携帯電話装置１００の生産性を向上させるために、検査工程の自動化が求められている。しかし、従来の検査工程で作業者が行っていた作業（一つ一つの携帯電話装置１００について開閉作業を行って各状態に応じた信号が発生しているか否かを検査する作業）をそのまま自動化する場合には、携帯電話装置１００を開閉させるための作業ロボットが必要となり、自動化のための設備は、大型で複雑なものとなり、費用も高額になる。そのため、携帯電話装置１００の状態を一定に保ったまま検査を行えることが望ましい。
【０００９】
また、検査工程では、表面側表示部１０３が正常に表示を行うか否か、キー１０５のバックライトや点灯部１０４が正常に点灯するか否かについても検査する。携帯電話装置１００が背面側表示部を有する場合には、背面側表示部が正常に表示を行うか否かについても検査する。これらの検査についても自動化を図ることが好ましい。
【００１０】
本発明は、上記の課題を解決し、折り畳み式携帯情報端末の状態を一定に保ったまま検査を行うことができる折り畳み式携帯情報端末検査装置を提供することを目的とする。
【００１１】
【課題を解決するための手段】
本発明による折り畳み式携帯情報端末検査装置は、一の部材と他の部材とが折り畳み可能に接続され、一の部材は、所定の物理的状態を生じさせる物理的状態生成部を備え、他の部材は、物理的状態を示す物理量を一の部材との位置関係に応じた値として検出し、検出した物理量に応じた信号を発生させる開閉検出部を備えた折り畳み式携帯情報端末を検査する折り畳み式携帯情報端末検査装置であって、開かれた状態の折り畳み式携帯情報端末を支持する端末支持手段と、端末支持手段に支持された折り畳み式携帯情報端末の物理的状態生成部の近傍に配置され、物理的状態生成部が生じさせる物理的状態を示す物理量を検出する物理量検出手段と、端末支持手段に支持された折り畳み式携帯情報端末の開閉検出部の近傍に配置され、物理的状態を生じさせる検査装置側物理的状態生成手段と、物理量検出手段が検出した物理量が所定の値以上であるか否かによって物理的状態生成部の良否を判断し、開閉検出部が発生させた信号が、検査装置側物理的状態生成手段が生じさせた物理的状態を示す物理量に応じた信号であるか否かによって開閉検出部の良否を判断する判断手段とを備えたことを特徴とする。
【００１２】
例えば、一の部材と他の部材とが折り畳み可能に接続され、一の部材は、所定の磁界を生じさせる物理的状態生成部を備え、他の部材は、磁界の強さを一の部材との位置関係に応じた値として検出し、検出した磁界の強さに応じた信号を発生させる開閉検出部を備えた折り畳み式携帯情報端末を検査する折り畳み式携帯情報端末検査装置であって、物理量検出手段は、折り畳み式携帯情報端末の物理的状態生成部が生じさせる磁界の強さを検出し、検査装置側物理的状態生成手段は、磁界を生じさせ、判断手段は、物理量検出手段が検出した磁界の強さが所定の値以上であるか否かによって物理的状態生成部の良否を判断し、開閉検出部が発生させた信号が、検査装置側物理的状態生成手段が生じさせた磁界の強さに応じた信号であるか否かによって開閉検出部の良否を判断する構成である。
【００１３】
情報を表示する表示部を備えた折り畳み式携帯情報端末を検査する折り畳み式携帯情報端末検査装置であって、表示部に画像パターンを表示させる画像パターン表示手段と、画像パターンを表示する表示部を撮影して画像データを作成する表示部撮影手段と、表示部撮影手段から画像データを取得して、予め保持する画像パターンと比較することにより表示部の良否を判断する表示判断手段とを備えていることが好ましい。このような構成によれば、表示部の検査を自動的に行うことができる。
【００１４】
また、点灯するキーを備えた折り畳み式携帯情報端末を検査する折り畳み式携帯情報端末検査装置であって、キーを点灯させるキー点灯手段と、点灯したキーを撮影して画像データを作成するキー撮影手段と、キー撮影手段から画像データを取得して点灯したキーの輝度を算出し、算出した輝度が所定の値以上であるか否かによってキーの良否を判断するキー判断手段とを備えていることが好ましい。このような構成によれば、キーの検査を自動的に行うことができる。
【００１５】
また、少なくとも着信を通知するために点灯する点灯部を備えた折り畳み式携帯情報端末を検査する折り畳み式携帯情報端末検査装置であって、点灯部を点灯させる点灯部点灯手段と、点灯した点灯部を撮影して画像データを作成する点灯部撮影手段と、点灯部撮影手段から画像データを取得して点灯部の輝度を算出し、算出した輝度が所定の値以上であるか否かによって点灯部の良否を判断する点灯判断手段とを備えていることが好ましい。このような構成によれば、点灯部の検査を自動的に行うことができる。
【００１６】
また、折り畳み式携帯情報端末に音を発生させる構成であることが好ましい。このような構成によれば、折り畳み式携帯情報端末が発生する音の検査を行うことができる。
【００１７】
【発明の実施の形態】
以下、本発明の実施の形態を図面を参照して説明する。ここでは、第一の筐体（一の部材）と第二の筐体（他の部材）とが折り畳み可能に接続された携帯電話装置の検査を行う場合を例に説明する。また、携帯電話装置は、上述の表面側表示部１０３、背面側表示部、複数のキー１０５、点灯部１０４を備えるものとする。また、複数のキー１０５の中の一部または全部のキーには、バックライトが設けられているものとする。
【００１８】
検査される折り畳み式携帯情報端末は、後述する制御回路治具との間で情報を入出力する端末インタフェース部を備える。端末インタフェース部は、折り畳まれていることを示す信号や開かれていることを示す信号を出力する。また、端末インタフェース部には、表面側表示部１０３や背面側表示部に検査パターン（検査時に用いる画像パターン）を表示させる制御信号や、点灯部１０４やキー１０５を点灯させる制御信号が入力される。また、折り畳み式携帯情報端末が備える電源回路（図示せず）に対する制御信号も、端末インタフェース部に入力される。なお、表面側表示部１０３に表示させる検査パターンと、背面側表示部に表示させる検査パターンは、異なっていてもよい。
【００１９】
図１は、本発明による折り畳み式携帯情報端末検査装置の実施の一形態を示す説明図である。折り畳み式携帯情報端末検査装置は、携帯電話装置１００を設置する設置部１と、制御回路治具３０と、情報処理装置４０とを備える。
【００２０】
設置部１は、第一の端末支持部２と、第二の端末支持部３と、端末接続部６と、表面側表示部用ＣＣＤカメラ１１ａ，１２ａと、背面側表示部用ＣＣＤカメラ１３ａと、キー用ＣＣＤカメラ１４ａと、点灯部用ＣＣＤカメラ１５ａとを備える。
【００２１】
第一の端末支持部２は、携帯電話装置１００の磁石（物理的状態生成部）１０６が配置された部分と接触することによって携帯電話装置１００を支持する。第一の端末支持部２には、磁石１０６の磁界の強さを検出する磁力検出部４が配置される。磁力検出部４は、例えば、ホール素子によって構成される。第二の端末支持部３は、携帯電話装置１００の磁力センサ（開閉検出部）１０７が配置された部分と接触することによって携帯電話装置１００を支持する。第二の端末支持部３には、電磁石５が配置される。電磁石５は、駆動ドライバ（図示せず）によって駆動される。
【００２２】
携帯電話装置１００の磁石１０６や、第二の端末支持部３に配置される電磁石５は、物理的状態を生じさせる。物理的状態とは、磁界や光等の事象が発生している状態をいう。ここでは、磁石１０６や電磁石５を用いて、物理的状態として磁界を生じさせている場合を例に説明する。磁界を示す物理量は、磁界の強さである。携帯電話装置１００の磁力センサ１０７や、第一の端末支持部２に配置される磁力検出部４は、物理量として磁界の強さを検出する。
【００２３】
端末インタフェース部１０９は、携帯電話装置１００が第一の端末支持部２および第二の端末支持部３によって支持された状態で、端末接続部６に接続する。
【００２４】
表面側表示部用ＣＣＤカメラ１１ａ，１２ａは、それぞれＣＣＤカメラ支持部１１ｂ、１２ｂによって表面側表示部１０３に対向するように配置され、表面側表示部１０３を撮影する。背面側表示部用ＣＣＤカメラ１３ａは、ＣＣＤカメラ支持部１３ｂによって背面側表示部１０８に対向するように配置され、背面側表示部１０８を撮影する。キー用ＣＣＤカメラ１４ａは、ＣＣＤカメラ支持部１４ｂによってキー１０５に対向するように配置され、キー１０５を撮影する。キー用ＣＣＤカメラ１４ａは、全てのキーを撮影できなくてもよい。しかし、バックライトにより点灯するキーを全部撮影できる位置に配置される。全てのキーがバックライトによって点灯するのであれば、全てのキーを撮影できる位置に配置される。点灯部用ＣＣＤカメラ１５ａは、ＣＣＤカメラ指示部１５ｂによって点灯部１０４に対向するように配置され、点灯部１０４を撮影する。なお、コントローラ１５ｃは、点灯部用ＣＣＤカメラ１５ａを制御する。
【００２５】
制御回路治具３０には、磁力検出部４、電磁石５の駆動ドライバ、表面側表示部用ＣＣＤカメラ１１ａ，１２ａ、背面側表示部用ＣＣＤカメラ１３ａ、キー用ＣＣＤカメラ１４ａ、点灯部用ＣＣＤカメラ１５ａ、携帯電話装置１００が接続される。また、制御回路治具３０は、磁力検出部４、電磁石５の駆動ドライバ、各ＣＣＤカメラ１１ａ，１２ａ，１３ａ，１４ａ，１５ａ、携帯電話装置１００、および携帯電話装置１００の電源回路に対して制御信号等を送信する通信回路を備える。
【００２６】
情報処理装置４０は、制御回路治具３０を介して制御信号を送信することによって、設置部１に配置された各機器や携帯電話装置１００を制御する。情報処理装置４０は、例えば、パーソナルコンピュータによって構成される。
【００２７】
情報処理装置４０は、制御回路治具３０との間で情報を入出力するインタフェース部４１を備える。この情報は、デジタル信号として入出力される。情報処理装置４０は、例えば、表面側表示部１０３等に表示させる検査パターンの情報を、インタフェース部４１から出力し、制御回路治具３０を介して携帯電話装置１００に入力させる。また、情報処理装置４０は、磁力検出部４が検出した磁界の強さや、端末インタフェース部１０９から出力された情報を、制御回路治具３０を介して取得する。
【００２８】
また、情報処理装置４０は、画像入力部４２を備える。画像入力部４２には、表面側表示部用ＣＣＤカメラ１１ａ，１２ａ、背面側表示部用ＣＣＤカメラ１３ａ、キー用ＣＣＤカメラ１４ａ、および点灯部用ＣＣＤカメラ１５ａが接続され、各ＣＣＤカメラ１１ａ，１２ａ，１３ａ，１４ａ，１５ａが撮影した画像データが入力される。また、画像入力部４２に入力される画像データはアナログデータであり、画像入力部４２は、入力された画像データをＡ−Ｄ変換する。
【００２９】
インタフェース部４１および画像入力部４２は、例えば、回路基板（ボード）として実現され、情報処理装置の本体４３が備えるボード取り付け口（スロット）に差し込まれる。図１では、情報処理装置の本体４３、インタフェース部４１、および画像入力部４２を別々に示したが、インタフェース部４１および画像入力部４２は、情報処理装置の本体４３のスロットに差し込まれているものとする。
【００３０】
なお、検査時において、情報処理装置４０は、制御回路治具３０を介して携帯電話装置１００の電源回路を制御し、携帯電話装置１００の電源が「入」となるようにする。
【００３１】
図２は、情報処理装置４０の構成の例を示すブロック図である。制御部４５は、記憶装置４６が記憶するプログラムに従って、情報処理装置４０全体および設置部１に配置された各機器や携帯電話装置１００を制御する。記憶装置４６が記憶するプログラムは、制御部４５に、設置部１に配置された各機器や携帯電話装置１００を制御させたり、携帯電話装置１００の検査を行わせる。また、記憶装置３は、予め検査パターンの情報を記憶する。
【００３２】
入力部４７は、例えば、キーボードやマウス等によって構成され、作業者からの指示が入力される。出力部４８は、例えば、ディスプレイ装置によって構成され、携帯電話装置１００の検査結果を表示する。
【００３３】
上記の例において、端末支持手段は、第一の端末支持部２および第二の端末支持部３によって実現される。物理量検出手段は、磁力検出部４によって実現される。検査装置側物理的状態生成手段は、電磁石５によって実現される。判断手段、画像パターン表示手段、表示判断手段、キー点灯手段、キー判断手段、点灯部点灯手段、および点灯判断手段は、情報処理装置４０によって実現される。表示部撮影手段は、表面側表示部用ＣＣＤカメラ１１ａ，１２ａおよび背面側表示部用ＣＣＤカメラ１３ａによって実現される。キー撮影手段は、キー用ＣＣＤカメラ１４ａによって実現される。点灯部撮影手段は、点灯部用ＣＣＤカメラ１５ａによって実現される。
【００３４】
次に、動作について説明する。
まず、携帯電話装置１００の開閉検出機能検査を行うときの動作について説明する。開閉検出機能検査とは、携帯電話装置１００が、折り畳まれた状態および開かれた状態に対応する信号を発生させることを確認する検査である。図３は、開閉検出機能検査における制御部４５の動作の例を示す流れ図である。入力部４７に作業者からの検査開始指示が入力されると、制御部４５は、以下の動作を自動的に行う。
【００３５】
まず、制御部４５は、磁力検出部４が検出した磁界の強さの情報を取得し、磁力検出部４が規定値以上の強さの磁界を検出しているか否かを確認する（ステップＳ７１）。磁力検出部４は、携帯電話装置１００の磁石１０６に対向するので、磁石１０６の磁界を検出し、磁界の強さの情報を制御回路治具３０を介して情報処理装置４０に出力する。情報処理装置４０の制御部４５は、予め定められた規定値と、磁力検出部４が検出した磁界の強さとを比較する。
【００３６】
磁界の強さが規定値未満であるならば、磁石１０６は十分な磁界を生じさせていないことになる。磁界の強さが規定値未満の場合、制御部４５は、出力部４８に、磁石１０６が異常であること（十分な磁界を発生させていないこと）を表示し（ステップＳ７２）、検査を終了する。
【００３７】
磁界の強さが規定値以上であるならば、磁石１０６は正常であり、十分な磁界を発生させていることになる。磁界の強さが規定値以上であった場合、制御部４５は、制御回路治具３０を介して電磁石５の駆動ドライバを制御し、電磁石５に所定の磁界を発生させる（ステップＳ７３）。電磁石５が所定の磁界を発生させている状態をオン状態と記し、また、磁界を生じさせていない状態をオフ状態と記す。
【００３８】
磁力センサ１０７は、正常であるならば、オン状態となった電磁石５の磁界を検出し、携帯電話装置１００が折り畳まれていることを示す信号を発生させる。この信号は、端末インタフェース部１０９から出力される。情報処理装置４０の制御部４５は、磁力センサ１０７が発生させた信号を、制御回路治具３０を介して取得する（ステップＳ７４）。そして、取得した信号が、折り畳まれていることを示す信号であるのか否かを確認する（ステップＳ７５）。
【００３９】
取得した信号が、携帯電話装置１００が折り畳まれていることを示す信号でない場合、磁力センサ１０７は、磁界が発生していても、折り畳まれていることを示す信号を発生させていない。この場合、制御部４５は、折り畳まれていることを示す信号は生じていない旨を出力部４８に表示し（ステップＳ７６）、検査を終了する。取得した信号が、携帯電話装置１００が折り畳まれていることを示す信号であるならば、磁力センサ１０７は正常に信号を発生させていることになる。この場合、制御部４５は、制御回路治具３０を介して電磁石５の駆動ドライバを制御し、電磁石５をオフ状態にする（ステップＳ７７）。
【００４０】
磁力センサ１０７は、正常であるならば、電磁石５がオフ状態のときに、携帯電話１００が開かれていることを示す信号を発生させる。情報処理装置４０の制御部４５は、ステップＳ７４と同様に、この信号を取得する（ステップＳ７８）。そして、取得した信号が、開かれていることを示す信号であるのか否かを確認する（ステップＳ７９）。
【００４１】
取得した信号が、携帯電話装置１００が開かれていることを示す信号でない場合、磁力センサ１０７は、オフ状態にも関わらず、開かれていることを示す信号を発生させていない。この場合、制御部４５は、開かれていることを示す信号は生じていない旨を出力部４８に表示し（ステップＳ８０）、検査を終了する。取得した信号が、携帯電話装置１００が開かれていることを示す信号であるならば、磁力センサ１０７は正常に信号を発生させていることになる。この場合、制御部４５は、正常である旨を出力部４８に表示し（ステップＳ８１）、検査を終了する。
【００４２】
次に、表面側表示部１０３および背面側表示部１０８の表示機能検査を行うときの動作について説明する。図４は、表示機能検査における制御部４５の動作の例を示す流れ図である。入力部４７に作業者からの検査開始指示が入力されると、制御部４５は、以下の動作を自動的に行う。
【００４３】
制御部４５は、予め保持する検査パターンの情報を、制御回路治具３０を介して携帯電話装置１００に出力し、検査パターンを表面側表示部１０３に表示させる（ステップＳ９１）。ステップＳ９１において、携帯電話装置１００は、端末インタフェース部１０９に検査パターンの情報を入力され、その情報に基づいて、検査パターンを表面側表示部１０３に表示する。
【００４４】
次に、制御部４５は、表面側表示部用ＣＣＤカメラ１１ａ，１２ａに表面側表示部１０３を撮影させ、表面側表示部１０３に表示された検査パターンの画像データを表面側表示部用ＣＣＤカメラ１１ａ，１２ａから取得する（ステップＳ９２）。ステップＳ９２において、表面側表示部用ＣＣＤカメラ１１ａ，１２ａは、検査パターンの画像データを画像入力部４２に出力する。画像入力部４２は、この画像データをＡ−Ｄ変換する。
【００４５】
制御部４５は、表面側表示部用ＣＣＤカメラ１１ａ，１２ａから取得した画像データと、予め保持している検査パターンとを比較する（ステップＳ９３）。制御部４５は、ステップＳ９３において、両者の一致度を算出する。続いて、制御部４５は、算出した一致度が、所定の値以上であるか否かを判断する（ステップＳ９４）。
【００４６】
取得した画像データと検査パターンの一致度が所定の値に満たなければ、表面側表示部１０３が検査パターンを正常に表示していなかったことになる。この場合、制御部４５は、表面側表示部１０３における表示が異常である旨を出力部４８に表示し（ステップＳ９５）、検査を終了する。
【００４７】
一致度が所定の値以上であれば、表面側表示部１０３は正常に検査パターンを表示していることになる。この場合、制御部４５は、ステップＳ９１と同様に検査パターンを出力して、携帯電話装置１００の背面側表示部１０８に検査パターンを表示させる（ステップＳ９６）。制御部４５は、背面側表示部用ＣＣＤカメラ１３ａに背面側表示部１０８を撮影させ、背面側表示部１０８に表示された検査パターンの画像データを背面側表示部用ＣＣＤカメラ１３ａから取得する（ステップＳ９７）。ステップＳ９７において、表面側表示部用ＣＣＤカメラ１３ａは、検査パターンの画像データを画像入力部４２に出力する。画像入力部４２は、この画像データをＡ−Ｄ変換する。
【００４８】
制御部４５は、ステップＳ９３と同様に、取得した画像データと予め保持している検査パターンとを比較し、両者の一致度を算出する（ステップＳ９８）。そして、算出した一致度が、所定の値以上であるか否かを判断する（ステップＳ９９）。
【００４９】
取得した画像データと検査パターンの一致度が所定の値に満たなければ、背面側表示部１０８が検査パターンを正常に表示していなかったことになる。この場合、制御部４５は、背面側表示部１０８における表示が異常である旨を出力部４８に表示し（ステップＳ１００）、検査を終了する。一致度が所定の値以上であれば、制御部４５は、正常である旨を出力部４８に表示し（ステップＳ１０１）、検査を終了する。
【００５０】
なお、背面側表示部１０８を備えていない携帯電話装置１００を検査する場合には、ステップＳ９４で一致度が所定の値以上であったときに、正常である旨を表示して検査を終了してもよい。すなわち、ステップＳ９６〜Ｓ１００の動作を行わなくてもよい。
【００５１】
次に、キー１０５のバックライトおよび点灯部１０４の点灯機能検査を行うときの動作について説明する。図５は、点灯機能検査における制御部４５の動作の例を示す流れ図である。入力部４７に作業者からの検査開始指示が入力されると、制御部４５は、以下の動作を自動的に行う。
【００５２】
制御部４５は、制御回路治具３０を介して携帯電話装置１００を制御し、キー１０５を点灯させる（ステップＳ１１１）。ステップＳ１１１において、携帯電話装置１０１は、端末インタフェース部１０９に制御信号が入力され、その制御信号に基づいてキー１０５のバックライトを点灯させる。
【００５３】
次に、制御部４５は、キー用ＣＣＤカメラ１４ａにバックライトが設けられたキー１０５を撮影させ、キー１０５の画像データをキー用ＣＣＤカメラ１４ａから取得する（ステップＳ１１２）。この画像データには、キー１０５だけでなく、キー１０５が配置された第二の筐体１０２の一部分の画像も含まれる。ステップＳ１１２において、キー用ＣＣＤカメラ１４ａは画像データを画像入力部４２に出力し、画像入力部４２は画像データをＡ−Ｄ変換する。
【００５４】
続いて、制御部４５は、所得した画像データに基づいて、バックライトによって点灯する各キーが配置された位置の輝度を算出する（ステップＳ１１３）。情報処理装置４０は、撮影された画像において各キーがどの領域に位置するのかを示す位置情報を予め保持する。そして、取得した画像データによって得られる画像のうち、バックライトによって点灯する各キーの位置に相当する領域の輝度を算出する。そして、制御部４５は、算出した各キーの輝度が、所定の値以上であるか否かを判断する（ステップＳ１１４）。
【００５５】
各キーの輝度が、所定の値に満たなければ、バックライトが正常に点灯していなかったことになる。この場合、制御部４５は、バックライトが異常である旨を出力部４８に表示し（ステップＳ１１５）、検査を終了する。
【００５６】
各キーの輝度が所定の値以上であれば、バックライトは正常に点灯していたことになる。この場合、制御部４５は、ステップＳ１１１と同様に、制御回路治具３０を介して携帯電話装置１００を制御し、点灯部１０４を点灯させる（ステップＳ１１６）。制御部４５は、点灯部用ＣＣＤカメラ１５ａに点灯部１０４を撮影させ、点灯部１０４の画像データを点灯部用ＣＣＤカメラ１５ａから取得する（ステップＳ１１７）。この画像データには、点灯部１０４だけでなく、点灯部１０４が配置された第一の筐体１０１の一部分の画像も含まれる。ステップＳ１１７において、点灯部用ＣＣＤカメラ１５ａは画像データを画像入力部４２に出力し、画像入力部４２は画像データをＡ−Ｄ変換する。
【００５７】
制御部４５は、ステップＳ１１３と同様に、所得した画像データに基づいて、点灯部１０４が配置された位置の輝度を算出する（ステップＳ１１８）。情報処理装置４０は、撮影された画像において点灯部１０４がどの領域に位置するのかを示す位置情報を予め保持する。そして、取得した画像データによって得られる画像のうち、点灯部１０４の位置に相当する領域の輝度を算出する。続いて、制御部４５は、算出した点灯部１０４の輝度が、所定の値以上であるか否かを判断する（ステップＳ１１９）。
【００５８】
点灯部１０４の輝度が所定の値に満たなければ、点灯部１０４が正常に点灯していなかったことになる。この場合、制御部４５は、点灯部１０４が異常である旨を出力部４８に表示し（ステップＳ１２０）、検査を終了する。点灯部１０４の輝度が所定の値以上であれば、点灯部１０４は正常に点灯していたことになる。この場合、制御部４５は、正常である旨を出力部４８に表示し（ステップＳ１２１）、検査を終了する。
【００５９】
なお、キー１０５にバックライトが設けられていない携帯電話装置１００を検査する場合には、ステップＳ１１６の動作から検査を開始してもよい。
【００６０】
上記のような折り畳み式携帯情報端末検査装置によれば、携帯電話装置１００を開いたまま検査を行うことができる。したがって、携帯電話装置１００を自動的に開閉させるための複雑な設備を用いにずに、開閉検出機能検査、表示機能検査、および点灯機能検査等を自動的に行うことができる。そして、この結果、携帯電話装置１００の生産性を向上させることができる。
【００６１】
上記の例では、開閉検出機能検査、表示機能検査、および点灯機能検査を行う場合を示したが、携帯電話装置１００の発する音に関する検査を行ってもよい。この場合、制御部４５は、制御回路治具３０を介して携帯電話装置１００を制御して、着信音等を発生させる。この着信音等が正常に発生したか否かによって検査を行う。情報処理装置４０を操作する作業者が、着信音等が正常か否かを判断してもよい。あるいは、設置部１がマイクロフォンを備え、着信音等の音声データをマイクロフォンから情報処理装置４０に出力して、制御部４５が、着信音等が正常に発生しているか否かを判断してもよい。
【００６２】
また、上記の例では、二台の表面側表示部用ＣＣＤカメラ１１ａ，１２ａで表面側表示部１０３を撮影する場合を示したが、表面側表示部用ＣＣＤカメラの台数は二台に限定されない。例えば、より高い解像度を実現できるＣＣＤカメラを用いるのであれば、一台の表面側表示部用ＣＣＤカメラで表面側表示部１０３を撮影してもよい。
【００６３】
検査の対象となる携帯情報端末は、携帯電話装置に限定されない。例えば、折り畳み式のＰＤＡ（Personal Digital Assistants）等を検査対象としてもよい。この場合であっても、開閉動作を行わずに自動的に検査を行うことができる。
【００６４】
また、上記の例では、出力部１０８が、ディスプレイ装置等によって構成され、検査結果を出力部１０８に表示する場合を示したが、出力部１０８がプリンタ等によって構成され、検査結果を印字出力してもよい。
【００６５】
【発明の効果】
本発明によれば、開かれた状態の折り畳み式携帯情報端末を支持する端末支持手段と、端末支持手段に支持された折り畳み式携帯情報端末の物理的状態生成部の近傍に配置され、物理的状態生成部が生じさせる物理的状態を示す物理量を検出する物理量検出手段と、端末支持手段に支持された折り畳み式携帯情報端末の開閉検出部の近傍に配置され、物理的状態を生じさせる検査装置側物理的状態生成手段と、物理量検出手段が検出した物理量が所定の値以上であるか否かによって物理的状態生成部の良否を判断し、開閉検出部が発生させた信号が、検査装置側物理的状態生成手段が生じさせた物理的状態を示す物理量に応じた信号であるか否かによって開閉検出部の良否を判断する判断手段とを備えているので、折り畳み式携帯情報端末の状態を開いた状態に保ったまま検査を行うことができる。したがって、折り畳み式携帯情報端末を自動的に開閉させるための複雑な設備を用いずに、自動的に検査を行うことができる。この結果、折り畳み式携帯情報端末の生産性を向上させることができる。
【図面の簡単な説明】
【図１】  本発明による折り畳み式携帯情報端末検査装置の実施の一形態を示す説明図である。
【図２】  情報処理装置の構成の例を示すブロック図である。
【図３】  開閉検出機能検査における制御部の動作の例を示す流れ図である。
【図４】  表示機能検査における制御部の動作の例を示す流れ図である。
【図５】  点灯機能検査における制御部の動作の例を示す流れ図である。
【図６】  折り畳み式携帯情報端末の例を示す説明図である。
【符号の説明】
１  設置部
２  第一の端末支持部
３  第二の端末支持部
４  磁力検出部
５  電磁石
６  端末接続部
１１ａ，１２ａ  表面側表示部用ＣＣＤカメラ
１３ａ  背面側表示部用ＣＣＤカメラ
１４ａ  キー用ＣＣＤカメラ
１５ａ  点灯部用ＣＣＤカメラ
３０  制御回路治具
４０  情報処理装置
１００  携帯電話装置
１０３  表面側表示部
１０４  点灯部
１０５  キー
１０６  磁石
１０７  磁力センサ
１０８  背面側表示部
【図１】
0003799259.tif 000002
【図２】
0003799259.tif 000003
【図３】
0003799259.tif 000004
【図４】
0003799259.tif 000005
【図５】
0003799259.tif 000006
【図６】
0003799259.tif 000007